(57)【要約】【課題】安全性を高めたタンカーのタンク交通装置を提供すること。【解決手段】本発明のタンカーのタンク交通装置は、タンク内に梯子を設けてなるタンカーのタンク交通装置において、タンクトップ７の上に設けた枠体５１と、当該枠体５１の内部に所定間隔で設けられたステージ５３、５５、５７と、当該ステージ５３、５５、５７を順次接続してなる傾斜梯子５９、６１、６３とを備えてなることを特徴とするものである。タンクトップ７の上に枠体５１を設け、垂直梯子用ステージ６７も垂直梯子４９を介して甲板１９にぶら下げ構造で固定させ、垂直梯子用ステージ６７とステージ５３を傾斜梯子６９で接続しているので、コルゲート状横置隔壁１５との取り合いがないため、梯子に亀裂が入らない構造とすることがてきた。【選択図】  図３
2004330931.tif 000002
【特許請求の範囲】
【請求項１】
タンク内に梯子を設けてなるタンカーのタンク交通装置において、
交通口からタンクトップ側に垂直に設けられた垂直梯子と、
前記交通口に近い部分であってコルゲート状隔壁に当接可能とし前記垂直梯子に固定された垂直梯子用ステージと、
タンクトップ上に設けた枠体と、
当該枠体内に所定間隔で設けられたステージと、
当該ステージ同士を順次接続してなる傾斜梯子と、
前記枠体内の最上部ステージと前記垂直梯子用ステージとを接続してなる傾斜梯子と、
を備えてなることを特徴とするタンカーのタンク交通装置。
【請求項２】
前記枠体は、所定間隔で立設してなる４本の柱と、前記４本の柱を所定間隔で水平方向に固定する梁とを備え、前記柱の上部を転倒防止ためにコルゲート状隔壁に固定してなり、前記ステージは、当該梁部分に互い違いに設けてなることを特徴とする請求項１記載のタンカーのタンク交通装置。
【請求項３】
タンク内に梯子を設けてなるタンカーのタンク交通装置において、
交通口からタンクトップ側に垂直に設けられた垂直梯子と、
前記交通口に近い部分であってコルゲート状隔壁に当接可能とし前記垂直梯子に固定された垂直梯子用ステージと、
二重外板に所定間隔で設けた傾斜梯子用ステージと、
当該傾斜梯子用ステージ同士を接続する傾斜梯子と、
前記垂直梯子用ステージと最上段の傾斜梯子用ステージとを接続する傾斜梯子と
を備えたことを特徴とするタンカーのタンク交通装置。
【発明の詳細な説明】
【０００１】
【発明の属する技術分野】
本発明は、コルゲート状隔壁を有するタンク内に梯子を設けてなるタンカーのタンク交通装置に関するものである。
【０００２】
【従来技術】
従来、タンカーでは、点検やメンテナンスをするために、タンク内に人が入る必要があった。このため、タンカーの各タンク内には、タンク交通装置が設けられていた。このタンク交通装置は、基本的には、コルゲート状隔壁を有するタンク内壁に固着された梯子を設けてなるものである。
【０００３】
図７は、タンカーのタンクの一部分を上から見た断面図である。この図７に示すタンカー１において、符号３Ｌは左舷の船側外板と、符号５Ｌは左舷の二重外板、符号７はタンクトップ（このタンクトップ７の下には図示しないが船底外板が設けられている）、符号３Ｒは右舷の船側外板、符号５Ｒは右舷の二重外板、符号１１は支柱、符号１３はコルゲート状縦通隔壁、符号１５はコルゲート状横置隔壁である。
【０００４】
また、コルゲート状縦通隔壁１３と、コルゲート状横置隔壁１５と、支柱１１と、左舷の二重外板５Ｌと、タンクトップ７と、右舷の二重外板５Ｒとにより区切られることにより、図７のように、左舷側にタンクＰ３、Ｐ４、Ｐ５が、右舷側にタンクＳ３、Ｓ４、Ｓ５が形成されることになる。なお、タンクの一部を図示しているので、タンクは上記符号のもののみ表示しているが、タンクＳ２、Ｐ２以下や、タンクＳ６、Ｐ６以上も存在する。
また、タンクＰ４、Ｓ４の甲板には、図７に示す位置に、交通口１７Ｐ、１７Ｓが設けられている。もちろん、他のタンクにも同様な位置関係に交通口が設けれている。
【０００５】
図７において、タンカー１は、図示右側が船首側で、図示左側が船尾側である。
図８は、従来のタンカーのタンク交通装置を含むタンク部分の一部を上から見た断面図である。図９は、従来のタンカーのタンク交通装置を含むタンク部分を船首側から船尾方向に見た横断面図である。図１０は、従来のタンカーのタンク交通装置を含むタンク部分の縦断面図であって、ステージの位置関係を示す図である。これらの図においても、図７に示す部材と同じ部材には同一の符号を付して説明する。タンカーのタンク交通装置は、同じ構成をしているので、タンクＰ４の部分のタンカーのタンク交通装置について説明することにする。
【０００６】
これらの図において、タンクＰ４内のタンク交通装置は、図８に示すように凹凸形状をしたコルゲート状横置隔壁１５の凹部に、図９および図１０に示すように上下方向に所定間隔にかつ水平方向に所定間隔の配置位置で固定された固定骨組み体２１、２３、２５、２７の上にステージ３１、３３、３５、３７を設け、ステージ３１、３３を傾斜梯子４１で接続し、ステージ３３、３５に傾斜梯子４３で接続し、ステージ３５、３７を傾斜梯子４５で接続し、ステージ３７とタンクトップ７とを傾斜梯子４７で接続し、かつ、甲板１９に設けた交通口１７Ｐとステージ３１とは垂直梯子４９で接続したものである。
【０００７】
なお、図８ないし図１０において、符号３Ｌは左舷の船側外板、符号５Ｌは左舷の二重外板、符号７は船底二重外板、符号９は船底外板、符号１５はコルゲート状横置隔壁、符号２９は隔壁固定台である。
なお、上述した従来のタンカーのタンク交通装置とほぼ同一構造を備えたタンカーのタンク交通装置が提案されている（例えば、特許文献１参照）。
【特許文献１】実開昭５７−１１３２９７号公報
【０００８】
【発明が解決しようとする課題】
また、図７に示す（プロダクト用あるいはケミカル用）タンカー１において、積み荷を千鳥積み（タンクＳ３、タンクＳ４、タンクＰ５、タンクＳ６のように交互に積む状態）を行う場合、タンクＰ４の高さ例えば１５［［ｍ］のコルゲート状縦通隔壁１３およびコルゲート状横置隔壁１５は３５〜４０［ｍｍ］も変位することが分かっている。なお、二重外板５Ｌ、５Ｒは同条件でも最大１０［ｍｍ］程度である。
【０００９】
したがって、従来のタンカーのタンク交通装置は、コルゲート状横置隔壁１５に固定されているため、前述したようにタンクＰ４が積み荷などの影響でコルゲート状横置隔壁の形状が大きく変化すると、ステージや傾斜梯子に亀裂が発生し、積み荷の漏れ等が生じることがあった。
また、上述した従来のタンカーのタンク交通装置によれば、ステージを設ける数だけ製造項数がかかるという欠点もあった。
本発明は、上述した問題点を解消し、積み荷漏れのない安全性を高めたタンカーのタンク交通装置を提供することを目的とする。
【００１０】
【課題を解決するための手段】
上記目的を達成するため、本願請求項１に係る発明のタンカーのタンク交通装置は、タンク内に梯子を設けてなるタンカーのタンク交通装置において、交通口からタンクトップ側に垂直に設けられた垂直梯子と、前記交通口に近い部分であってコルゲート状隔壁に当接可能とし前記垂直梯子に固定された垂直梯子用ステージと、タンクトップ上に設けた枠体と、当該枠体内に所定間隔で設けられたステージと、当該ステージ同士を順次接続してなる傾斜梯子と、前記枠体内の最上部ステージと前記垂直梯子用ステージとを接続してなる傾斜梯子とを備えてなることを特徴とする。
また、本願請求項２に係る発明は、前記請求項１記載のタンカーのタンク交通装置において、前記枠体は、所定間隔で立設してなる４本の柱と、前記４本の柱を所定間隔で水平方向に固定する梁とを備え、前記柱の上部を転倒防止ためにコルゲート状隔壁に固定してなり、前記ステージは、当該梁部分に互い違いに設けてなることを特徴とする。
本願請求項３に係る発明のタンカーのタンク交通装置は、タンク内に梯子を設けてなるタンカーのタンク交通装置において、交通口からタンクトップ側に垂直に設けられた垂直梯子と、前記交通口に近い部分であってコルゲート状隔壁に当接可能とし前記垂直梯子に固定された垂直梯子用ステージと、二重外板に所定間隔で設けた傾斜梯子用ステージと、当該傾斜梯子用ステージ同士を接続する傾斜梯子と、前記垂直梯子用ステージと最上段の傾斜梯子用ステージとを接続する傾斜梯子とを備えたことを特徴とする。
【００１１】
【発明の実施の形態】
以下、本発明に係る実施の形態について添付する図面を参照して詳細に説明する。
［第１の実施の形態］
図１ないし図３は本発明の第１の実施の形態を説明するための図である。ここに、図１は、本発明の第１の実施の形態に係るタンカーのタンク交通装置が設置される左舷側のタンク部分の一部を上から見た断面図である。図２は、本発明の第１の実施の形態に係るタンカーのタンク交通装置が設置された同タンク部分を船首側から船尾方向に見た横断面図である。
【００１２】
図３は、本発明の第１の実施の形態に係るタンカーのタンク交通装置が設置されたタンク部分の縦断面図である。これらの図において、第１の実施の形態を構成する部材と、図７ないし図１０に示す部材とが同一の場合には同一符号を付して説明を省略する。また、本発明の第１の実施の形態に係るタンカーのタンク交通装置は、全て同じ構成をしているものとして、タンクＰ４の部分のタンカーのタンク交通装置について説明する。
【００１３】
本発明の第１の実施の形態に係るタンカーのタンク交通装置は、これらの図１ないし図３に示すように、タンクトップ７の上に設けた枠体５１と、当該枠体５１内に所定間隔で設けられたステージ５３、５５、５７と、当該ステージ５３、５５同士を接続してなる傾斜梯子５９と、当該ステージ５５、５７同士を接続してなる傾斜梯子６１と、当該ステージ５７とタンクトップ７とを接続してなる傾斜梯子６３とをそなえてものである。これにより、傾斜梯子５９、６１はステージ５３、５５、５５、５７を順次接続しており、かつ、傾斜梯子６３はステージ５７とタンクトップ７とを接続している。なお、傾斜梯子５９、６１、６３は、人が昇降動する方向がコルゲート状横置隔壁１５に平行になるように配置されている。
【００１４】
さらに、本発明の第１の実施の形態に係るタンカーのタンク交通装置では、図２および図３に示すように、交通口１７Ｐからタンクトップ７側に垂直に設けられかつ上甲板１９に固定された垂直梯子４９と、前記交通口１７Ｐに近い部分であってコルゲート状横置隔壁１５に当接可能にされかつ前記垂直梯子４９に固定された骨組構造体６５に設けられた垂直梯子用ステージ６７と、前記骨組構造体６５に設けられた垂直梯子用ステージ６７と前記枠体５１内の最上部ステージ５３とを接続してなる傾斜梯子６９とを備えている。また、垂直梯子４９は、人の昇降動する面がコルゲート状横置隔壁１５に直角に左舷の二重外板５Ｌに平行に位置するように固定されている。
【００１５】
また、前記枠体５１は、所定間隔で立設してなる４本の柱７１ａ、７１ｂ、７１ｃ、７１ｄと、前記４本の柱７１ａ、７１ｂ、７１ｃ、７１ｄを所定間隔で水平方向に固定する梁７３ａ、７３ｂ、７３ｃとを備えたものである。また、前記枠体５１は、その上部を固定梁７５でコルゲート状横置隔壁１５に固定することにより転倒防止を図っている。前記ステージ５３、５５、５７は、図２に示すように、当該梁７３ａ、７３ｂ、７３ｃの部分に互い違いに設けられている。
【００１６】
このようなタンカーのタンク交通装置は次のようにして使用される。点検やメンテナンスのために、タンクＰ４内に入るときには、交通口１７Ｐから垂直梯子４９を使用して垂直梯子用ステージ６７に降りる。以下は、垂直梯子用ステージ６７から傾斜梯子６９、ステージ５３、傾斜梯子５９、ステージ５５、傾斜梯子６１、ステージ５７、傾斜梯子６３、タンクトップ７の順で降りてゆけばよい。
タンクトップ７上等で点検やメンテナンス等を終了し、タンクＰ４から出る場合には、上述した順序の逆に昇って行けばよい。
【００１７】
本発明の第１の実施の形態に係るタンカーのタンク交通装置では、高さ例えば約８［ｍ］の柱７１ａ、７１ｂ、７１ｃ、７１ｄを長方形平面の四隅に垂直方向に配置し、これら柱７１ａ、７１ｂ、７１ｃ、７１ｄを所定間隔で水平方向に配置した梁７３ａ、７３ｂ、７３ｃで固定することにより枠体５１を形成させ、当該梁７３ａ、７３ｂ、７３ｃの部分に互い違いにステージ５３、５５、５７を設け、枠体５１の最上部ステージ５３を固定梁７５でコルゲート状横置隔壁１５に固定し、かつ、垂直梯子用ステージ６７の骨組構造体６５を垂直梯子４９を介して上甲板１９にぶら下げ構造で取り付け、前記垂直梯子用ステージ６７と枠体５１の最上部ステージ５３とを傾斜梯子６９で接続することにより、コルゲート状横置隔壁１５との取り合いをなくしたものである。
【００１８】
このような構造のタンカーのタンク交通装置によれば、コルゲート状横置隔壁１５との取り合いがないため、タンクが積み荷などの影響でコルゲート状横置隔壁１５の形状が大きく変化しても、ステージや傾斜梯子に亀裂が発生することがなく、積み荷の漏れがなく高い安全性を保つことができる。
また、このような構造のタンカーのタンク交通装置によれば、ステージ５３、５５、５７と、傾斜梯子５９、６１、６３と備えた枠体５１をタンクトップ７の上に置く構造としたため、ステージの取り付けが一回で済むことになり、取り付け工数を大幅に減少させることができる。
なお、図１ないし図３に示す第１の実施の形態に係るタンカーのタンク交通装置は、本発明に好適な一構成例を示したものであって、この形状そのものに限定されることなく、本発明の趣旨の範囲で種々の変形が可能である。
【００１９】
［第２の実施の形態］
図４ないし図６は本発明の第２の実施の形態を説明するための図である。ここに、図４は、本発明の第２の実施の形態に係るタンカーのタンク交通装置が設置されるタンク部分の一部を上から見た断面図である。図５は、本発明の第２の実施の形態に係るタンカーのタンク交通装置が設置されたタンク部分を船首側から船尾方向に見た横断面図である。
【００２０】
図６は、本発明の第２の実施の形態に係るタンカーのタンク交通装置が設置されたタンク部分の縦断面図である。これらの図において、第２の実施の形態を構成する部材と、図７ないし図１０に示す部材とが同一の場合には同一符号を付して説明を省略する。また、本発明の第２の実施の形態に係るタンカーのタンク交通装置は、全て同じ構成をしているものとして、タンクＰ４の部分のタンカーのタンク交通装置について説明する。
【００２１】
本発明の第２の実施の形態に係るタンカーのタンク交通装置は、図４ないし図６に示すように、左舷の二重外板５Ｌに所定間隔で設けた固定骨組み体８１、８３、８５と、前記各固定骨組み体８１、８３、８５の上に設けたステージ８７、８９、９１と、当該ステージ８７、８９を接続する傾斜梯子９３と、当該ステージ８９、９１を接続する傾斜梯子９５と、当該ステージ９１とタンクトップ７とを接続する傾斜梯子９７とから構成されている。なお、傾斜梯子９３、９５、９７は、人の昇降動する方向が左舷の二重外板５Ｌに平行にコルゲート状横置隔壁１５に直角方向になるように配置されている。
【００２２】
また、本発明の第２の実施の形態に係るタンカーのタンク交通装置では、図５および図６に示すように、交通口１７Ｐからタンクトップ７側に垂直に設けられかつ上甲板１９に固定された垂直梯子４９と、前記交通口１７Ｐに近い部分であってコルゲート状横置隔壁１５に当接可能にされかつ前記垂直梯子４９に固定された骨組構造体６５に設けられた垂直梯子用ステージ６７と、前記骨組構造体６５に設けられた垂直梯子用ステージ６７と前記固定骨組み体８１に設けられたステージ９１とを接続してなる傾斜梯子６９とを備えている。また、垂直梯子４９は、人の昇降動する面がコルゲート状横置隔壁１５に平行に左舷の二重外板５Ｌに直角に位置するように固定されている。
【００２３】
本第２の実施の形態に係るタンカーのタンク交通装置は次のようにして使用される。点検やメンテナンスのために、タンクＰ４内に入るときには、交通口１７Ｐから垂直梯子４９を使用して垂直梯子用ステージ６７に降りる。以下は、垂直梯子用ステージ６７から傾斜梯子６９、ステージ８７、傾斜梯子９３、ステージ８９、傾斜梯子９５、ステージ９１、傾斜梯子９７、タンクトップ７の順で降りてゆけばよい。
【００２４】
タンクトップ７上等で点検やメンテナンス等を終了し、タンクＰ４から出る場合には、上述した順序の逆に昇って行けばよい。
本発明の第２の実施の形態に係るタンカーのタンク交通装置では、要するに、変位の少ない左舷の二重外板５Ｌに固定骨組み体８１、８３、８５を固定し、前記各固定骨組み体８１、８３、８５にステージ８７、８９、９１を設け、ステージ８７、８９、９１を傾斜梯子９３、９５で順次接続し、かつ、垂直梯子用ステージ６７の骨組構造体６５を垂直梯子４９を介して上甲板１９にぶら下げ構造で取り付け、前記垂直梯子用ステージ６７と枠体５１の最上部ステージ５３とを傾斜梯子６９で接続することにより、コルゲート状横置隔壁１５との取り合いをなくしたものである。
【００２５】
このような構造のタンカーのタンク交通装置によれば、コルゲート状横置隔壁１５との取り合いがなく、また積み荷に影響されない二重外板に固定骨組み体を一定間隔で固定したため、タンクが積み荷などの影響でコルゲート状横置隔壁１５の形状が大きく変化しても、ステージや傾斜梯子に亀裂が発生することがなく、積み荷漏れのない高い安全性を保つことができる。
なお、図４ないし図６に示す第２の実施の形態に係るタンカーのタンク交通装置は、本発明に好適な一構成例を示したものであって、この形状そのものに限定されることなく、本発明の趣旨の範囲で種々の変形が可能である。
【図面の簡単な説明】
【図１】、図１は、本発明の第１の実施の形態に係るタンカーのタンク交通装置が設置されるタンク部分の一部を上から見た断面図である。
【図２】図２は、本発明の第１の実施の形態に係るタンカーのタンク交通装置が設置されたタンク部分の横断面図である。
【図３】図３は、本発明の第１の実施の形態に係るタンカーのタンク交通装置が設置されたタンク部分の縦断面図である。
【図４】図４は、本発明の第２の実施の形態に係るタンカーのタンク交通装置が設置されるタンク部分の一部を上から見た断面図である。
【図５】図５は、本発明の第２の実施の形態に係るタンカーのタンク交通装置が設置されたタンク部分の横断面図である。
【図６】図６は、本発明の第２の実施の形態に係るタンカーのタンク交通装置が設置されたタンク部分の縦断面図である。
【図７】図７は、タンカーのタンクの一部分を上から見た断面図である。
【図８】図８は、従来のタンカーのタンク交通装置を含むタンク部分の一部を上から見た断面図である。
【図９】図９は、従来のタンカーのタンク交通装置を含むタンク部分の横断面図である。
【図１０】図１０は、従来のタンカーのタンク交通装置を含むタンク部分の縦断面図であって、ステージの位置関係を示す図である。
【符号の説明】
１…タンカー
３Ｌ…左舷の船側外板
３Ｒ…右舷の船側外板
５Ｌ…左舷の二重外板
５Ｒ…右舷の二重外板
７…タンクトップ
９…船底外板
１１…支柱
１３…コルゲート状縦通隔壁
１５…コルゲート状横置隔壁
１７、１７Ｐ、１７Ｓ…交通口
２９…隔壁固定台
５１…枠体
５３、５５、５７…ステージ
５９、６１、６３…傾斜梯子
７１ａ、７１ｂ、７１ｃ、７１ｄ…柱
７３ａ、７３ｂ、７３ｃ…梁
７５…固定梁
８１、８３、８５…固定骨組み体
８７、８９、９１…ステージ
９３、９５、９７…傾斜梯子
【図１】
2004330931.tif 000003
【図２】
2004330931.tif 000004
【図３】
2004330931.tif 000005
【図４】
2004330931.tif 000006
【図５】
2004330931.tif 000007
【図６】
2004330931.tif 000008
【図７】
2004330931.tif 000009
【図８】
2004330931.tif 000010
【図９】
2004330931.tif 000011
【図１０】
2004330931.tif 000012